(57)【要約】      （修正有）【課題】構造が簡単で安価に提供でき、かつ、広い設置面積も必要とせず、即座に身体の背面や側面における起伏などの形状線を描くことができる身体背面・側面形状筆記装置を提供する。【解決手段】起伏のある身体背面・側面形状筆記装置Ａは、垂直軸２と、垂直軸２に垂直方向に摺動可能に設けられた上下摺動体３と、上下摺動体３を貫通して水平方向に進退可能に配設され、一方の端部を検知部６とし、他方の端部を筆記部７とした水平摺動軸４と、筆記部７に取り付けられた筆記具８と、筆記具８により筆記される被筆記体１０とからなる。【選択図】図１
0003108546.tif 000002
【実用新案登録請求の範囲】
【請求項１】
垂直軸と、該垂直軸に垂直方向に摺動可能に設けられた上下摺動体と、該上下摺動体を貫通して水平方向に進退可能に配設され、一方の端部を検知部とし、他方の端部を筆記部とした水平摺動軸と、該筆記部に取り付けられた筆記具と、該筆記具により筆記される被筆記体とからなることを特徴とする身体背面・側面形状筆記装置。
【請求項２】
水平摺動軸が、検知部側に進出するように付勢されていることを特徴とする請求項１に記載の身体背面・側面形状筆記装置。
【請求項３】
請求項１又は２に記載の身体背面・側面形状筆記装置により、被測定者の身体の背面形状を筆記し、この筆記された被測定者の身体の背面形状に適合する寝具を選択して販売することを特徴とする適合寝具の販売方法。
【考案の詳細な説明】
【技術分野】
【０００１】
本考案は、身体の背面や側面における起伏などの形状線を描く身体背面・側面形状筆記装置に関し、特に身体の体型に適合した適切な敷き布団やベッドマット等の敷き寝具や枕を選択するために使用する身体背面・側面形状筆記装置に関する。
【背景技術】
【０００２】
従来より、身体の体型に適合した適切な敷き布団やベッドマット等の敷き寝具の開発が行われており、また、適切な高さの枕を提供することが行われており、その一方で身体の体型を測定する種々の装置が開発されている。このような装置として、コンピュータなどを駆使し、自動的に測定できるようにしたものが研究開発され、実用化に至っている。
【考案の開示】
【考案が解決しようとする課題】
【０００３】
しかしながら、寝具の販売を行っている業者には、百貨店などの設備が行き届き、専門員を配置している寝具売り場や大量に商品を売りさばく寝具専門の大型量販店のように相当の費用を投資できる業者ばかりでなく、町中の小さな店舗やスーパーなどの寝具売り場などで販売されている方がむしろ一般的である。このような小規模販売店においては、設備に高額の費用を投資することが容易でないため、コンピュータなどを使用した自動測定装置などは簡単には到底導入できず、また、そのような装置を操作する専門員を配備しておくこともできないため、ほとんどの場合、店主自らが装置の操作を行わなければならず、そのような理由からも容易に導入できない事情がある。また、寝具を購入する消費者も、寝具の購入の際に、身体の形状を測定するということに慣れておらず、しかも、コンピュータを使用して自動的に測定するとなれば不安感もあり、簡単には受け入れられない状況がある。
【０００４】
そこで、本考案者は、鋭意研究を重ね、構造が簡単で安価に提供でき、かつ、広い設置面積も必要とせず、即座に身体の背面や側面における起伏などの形状線を描くことができる身体背面・側面形状筆記装置を開発した。
【課題を解決するための手段】
【０００５】
本考案に係る起伏のある身体背面・側面形状筆記装置は、垂直軸と、該垂直軸に垂直方向に摺動可能に設けられた上下摺動体と、該上下摺動体を貫通して水平方向に進退可能に配設され、一方の端部を検知部とし、他方の端部を筆記部とした水平摺動軸と、該筆記部に取り付けられた筆記具と、該筆記具により筆記される被筆記体とからなることを特徴とするものである。
【０００６】
なお、上記の水平摺動軸が、検知部側に進出するように付勢されているように構成してもよい。
【０００７】
上記のように構成したので、検知部を被測定者の背面上や側面上を上下させると、検知部は被測定者の背面や側面の起伏形状に沿って上下しながら進出及び後退するので、水平摺動軸において検知部とは逆の他方の端部の筆記部が、検知部と同様に上下しながら進出及び後退する。そうすると筆記部に取り付けられた筆記具も筆記部に従動するので、該筆記具は被筆記体に、検知部が上下しながら進出及び後退する軌跡を描くこととなり、この軌跡は、被測定者の背面や側面の起伏形状を表すこととなる。
【０００８】
また、本考案に係る適合寝具の販売方法は、上記した身体背面・側面形状筆記装置により、被測定者の身体の背面や側面形状を筆記し、この筆記された被測定者の身体の背面や側面の形状に適合する寝具を選択して販売することを特徴とするものである。
【考案の効果】
【０００９】
以上のように、本考案に係る身体背面・側面形状筆記装置は、構造が極めて簡単であって、安価に提供できるものであり、また、設置スペースも狭くて済み、はじめて利用する被測定者も被測定者の背面や側面の起伏形状が描かれる理屈が容易に理解できるので安心して使用できるものである。そのため、小規模販売店においても十分に活用できるので、広く一般に普及させやすいものである。したがって、寝具を購入する消費者に対して、寝具の購入の際に、衣料品の購入の際と同様に、身体の形状を測定する習慣を一般化させる効果がある。
【００１０】
上記した身体背面・側面形状筆記装置により、被測定者の身体の背面や側面の形状を筆記すれば、この筆記された被測定者の身体の背面や側面の形状に適合する寝具を選択することが容易となり、被測定者にである顧客に満足のいく寝具を販売することが可能となる。
【考案を実施するための最良の形態】
【００１１】
以下に、本考案の好適な実施例を図面に基づいて詳細に説明する。
【実施例１】
【００１２】
図１及び図２は、本考案の実施例に係る身体背面・側面形状筆記装置を示し、図１は身体背面・側面形状筆記装置により身体の背面を測定している状態を示す模式側面図であり、図２は身体背面・側面形状筆記装置により身体の背面を測定している状態を示す模式平面図であり、図３は身体背面・側面形状筆記装置により身体の側面を測定している状態を示す模式側面図である。
【００１３】
各図において、Ａは本実施例に係る身体背面・側面形状筆記装置を示し、該身体背面・側面形状筆記装置Ａには、被測定者が乗る底板１に垂直軸２が立設され、該垂直軸２に垂直方向に摺動可能な上下摺動体３が配されている。上下摺動体３には、被測定者側に、該上下摺動体３を貫通する水平摺動軸４が配されており、また、上下摺動体３には、該水平摺動軸４と直交する水平軸よりなるものであって、上下摺動体３を上下移動するためのハンドル５が設けられている。
【００１４】
上記水平摺動軸４は、上下摺動体３を貫通して水平方向に摺動可能に設けられており、被測定者側に進出するようにバネなどで付勢されている。水平摺動軸４の被測定者側に突出する端部には、水平摺動軸４と直交する回転可能な水平軸よりなる検知部６が設けられており、上下摺動体３をハンドル６により上下移動させれば、水平摺動軸の付勢力により、該検知部６は被測定者の頭部から脚部までの背面に接しながら上下方向に移動できるようになっている。
【００１５】
水平摺動軸４における検知部６とは反対側の他方の端部には、筆記部７が設けられており、該筆記部７には取替自在にマーカーなどの筆記具８がそのペン先９が水平方向になるように備えられている。したがって、検知部６が被測定者の頭部から脚部までの背面に接しながら上下方向に移動すると、検知部６の動きに追随して筆記具８も上下方向に移動するようになっている。
【００１６】
身体背面・側面形状筆記装置Ａには、筆記具８のペン先９が常に接する位置にホワイトボードなどの被筆記体１０が設けられており、ペン先９が移動すれば、その移動の軌跡が被筆記体１０に描かれるようになっている。
【００１７】
なお、上記筆記具８はマーカーに限られるものではなく、また、被筆記体１０はホワイトボードに限られるものではなく、筆記具としてペン先が磁石で構成され、被筆記体は鉄粉や磁石粉が透明シートにより被覆されて内蔵されたボードを使用してもよい。
【００１８】
以上のように本実施例に係る身体背面・側面形状筆記装置Ａを構成したので、図１及び図２に示すように、ハンドル５を操作して上下摺動体３を摺動させることにより、検知部６を被測定者の背面上を上下させると、検知部６は被測定者の背面の起伏形状に沿って上下しながら進出及び後退するので、水平摺動軸４において検知部６とは逆の他方の端部の筆記部７が、検知部６と同様に上下しながら進出及び後退する。そうすると筆記部７に取り付けられた筆記具８も筆記部に従動するので、該筆記具８のペン先９は被筆記体１０に、検知部６が上下しながら進出及び後退する軌跡を描くこととなり、この軌跡は、被測定者の背面の起伏形状を表すこととなる。
【００１９】
また、図３に示すように、被測定者の側面側を検知部６に接するように被測定者が向きを変えれば、被測定者の側面の形状を筆記することが可能となり、さらに、筆記具８の色を、例えば背面測定時には青色、側面測定時には赤色のように、変えることにより、被筆記体１０に色を変えて被測定者の背面形状と側面形状とを表すことが可能である。側面形状の測定においては、側頭部の距離ａと首側部の距離ｂとを測ることが重要であり、側頭部の距離ａは枕の両側部の高さの基準となり、首側部の距離ｂは首が相当する部分の枕の高さの基準となる。また、側面形状の測定においては、被測定者の肩幅等が影響されやすく、肩幅が広い被測定者の場合には、腰部の距離ｃとの差が大となる。したがって、側面の測定においては、肩のラインが基準となり、厳密には、横臥状態においては肩が回ることから、図３に示すように、測定する側に位置する手で反対側の手の肘を掴むような姿勢の状態において測定する。
【００２０】
以上のように、本実施例に係る身体背面・側面形状筆記装置Ａは、構造が極めて簡単であって、製造コストも安く、また、設置スペースも狭くて済む。また、はじめて利用する被測定者も被測定者の背面や側面の起伏形状が描かれる理屈が容易に理解できるので安心して使用できる。そのため、小規模販売店においても十分に活用できるので、広く一般に普及させやすい利点がある。したがって、寝具を購入する消費者に対して、寝具の購入の際に、衣料品の購入の際と同様に、身体の形状を測定する習慣を一般化させる効果がある。
【００２１】
上記した身体背面・側面形状筆記装置Ａを使用すれば、被測定者の身体の背面や側面の形状を筆記することができ、この筆記された被測定者の身体の背面や側面の形状に適合する寝具を選択することが容易となり、被測定者にである顧客に満足のいく寝具を販売することが可能となる。
【産業上の利用可能性】
【００２２】
本考案に係る身体背面・側面形状筆記装置は、ベッドマット、敷き布団などの寝具を選択する場合に利用できるほか、枕を選択する場合などにも利用できる。
【図面の簡単な説明】
【００２３】
【図１】身体背面・側面形状筆記装置により身体を測定している状態を示す模式側面図である。
【図２】身体背面・側面形状筆記装置により身体を測定している状態を示す模式平面図である。
【図３】身体背面・側面形状筆記装置により身体の側面を測定している状態を示す模式側面図である。
【符号の説明】
【００２４】
Ａ・・・身体背面・側面形状筆記装置
１・・・底板
２・・・垂直軸
３・・・上下摺動体
４・・・水平摺動軸
５・・・ハンドル
６・・・検知部
７・・・筆記部
８・・・筆記具
９・・・ペン先
１０・・被筆記体
ａ・・・側頭部の距離
ｂ・・・首側部の距離
ｃ・・・腰部の距離
【図１】
0003108546.tif 000003
【図２】
0003108546.tif 000004
【図３】
0003108546.tif 000005